(57)【特許請求の範囲】
【請求項１】
陳列棚本体の側面に、この側面を覆うエンドフレームを連結する陳列棚におけるエンドフレームの連結構造において、
左右方向を向く基片の外端から上向きに延出する垂直片の外側面に、外上方に向かってＬ字状に延出する切り起こし片を設け、かつ前記基片の内端に垂下片を連設した連結具における前記垂下片を、陳列棚本体の側端部に形成された下向きの溝に挿入し、かつ前記切り起こし片に、前記エンドフレームの内側面に穿設した係合孔の上縁部を係止させ、さらに、陳列棚本体における側端部の支柱の下端より前方に向かって延出する脚杆に、該脚杆の外側面を覆うベースカバーを係止するとともに、最下段の棚板の側端部を載置し、前記ベースカバーの上端部と最下段の棚板との間に形成された溝に、連結具の垂下片を挿入してなる陳列棚におけるエンドフレームの連結構造。
【請求項２】
連結具の基片をベースカバーの上端に当接させてなる請求項１記載の陳列棚におけるエンドフレームの連結構造。
【請求項３】
陳列棚本体における棚板の側端部上面にスリットを穿設し、このスリットを溝として、これに、連結具の垂下片を挿入した請求項１または２記載の陳列棚におけるエンドフレームの連結構造。
【請求項４】
エンドフレームの内側面に、高さの異なる複数の係合孔を穿設し、陳列棚本体に装着された連結具の高さに応じて、切り起こし片に係止させる係合孔を選択しうるようにした、請求項１〜３のいずれかに記載の陳列棚におけるエンドフレームの連結構造。
【請求項５】
陳列棚本体における側端部の支柱の外側面に縦長孔を穿設し、エンドフレームの内側面に、前記縦長孔に係止される縦長フックを設けた、請求項１〜４のいずれかに記載の陳列棚におけるエンドフレームの連結構造。
【発明の詳細な説明】
【０００１】
【発明の属する技術分野】
本発明は、陳列棚本体に、その側面を覆うエンドフレームを連結する連結構造に係り、特に、エンドフレームの前部を陳列棚本体に連結する連結構造に関する。
【０００２】
【従来の技術】
従来、このようなエンドフレームを陳列棚本体に連結するには、陳列棚本体に連結具を溶接したり（特開平9-65961、実用新案登録第2559549号）、図８に示すように、陳列棚本体(１)にエンドフレーム(２)を連結具(３)を用いて係合する（実公平7-44192）という手段が用いられている。
【０００３】
【発明が解決しようとする課題】
しかし、前者では、陳列棚のベース高さを変えたり、陳列棚の下部に、ストッカーすなわち商品保管箱を収納する場合に、連結具の取付け位置が変わるので、商品保管箱に合わせて、エンドフレーム全体を新たに製作する必要があり、後者では、上下方向の強度が弱く、また連結具が前面または側面から見えるため、美観を損なうとともに、水平脚の前後方向長さの変化に対応できないという問題がある。
【０００４】
本発明は、上述の問題点に鑑み、エンドフレームを、陳列棚の側端に、強固に、かつ美観を損なわずに、しかも連結具の高さ位置を変更可能として取り付けることができるようにした、陳列棚におけるエンドフレームの連結構造を提供することを目的としている。
【０００５】
【課題を解決するための手段】
本発明によると、上記課題は、次のようにして解決される。
(１) 陳列棚本体の側面に、この側面を覆うエンドフレームを連結する陳列棚におけるエンドフレームの連結構造において、左右方向を向く基片の外端から上向きに延出する垂直片の外側面に、外上方に向かってＬ字状に延出する切り起こし片を設け、かつ前記基片の内端に垂下片を連設した連結具における前記垂下片を、陳列棚本体の側端部に形成された下向きの溝に挿入し、かつ前記切り起こし片に、前記エンドフレームの内側面に穿設した係合孔の上縁部を係止させ、さらに、陳列棚本体における側端部の支柱の下端より前方に向かって延出する脚杆に、該脚杆の外側面を覆うベースカバーを係止するとともに、最下段の棚板の側端部を載置し、前記ベースカバーの上端部と最下段の棚板との間に形成された溝に、連結具の垂下片を挿入する。
【０００６】
(２) 上記(１)項において、連結具の基片をベースカバーの上端に当接させる。
【０００７】
(３) 上記(１)または(２)項において、陳列棚本体における棚板の側端部上面にスリットを穿設し、このスリットを溝として、これに、連結具の垂下片を挿入する。
【０００８】
(４) 上記(１)〜(３)項のいずれかにおいて、エンドフレームの内側面に、高さの異なる複数の係合孔を穿設し、陳列棚本体に装着された連結具の高さに応じて、切り起こし片に係止させる係合孔を選択しうるようにする。
【０００９】
(５) 上記(１)〜(４)項のいずれかにおいて、陳列棚本体における側端部の支柱の外側面に縦長孔を穿設し、エンドフレームの内側面に、前記縦長孔に係止される縦長フックを設ける。
【００１０】
【発明の実施の形態】
図１〜図７に例示した本発明の一実施形態について説明する。
この実施形態では、ネットを張設してサイドネットとしたエンドフレーム(２)を、陳列棚本体(１)の前部の側面と後部の側面とを別々に覆う２枚組みのものとしてある。図１では、後部のエンドフレーム(２)を、既に陳列棚本体(１)に取り付けた状態で、前部のエンドフレーム(２)を、取り付け前の状態で示してある。
【００１１】
陳列棚本体(１)は、前後方向の中央に、角筒状の垂直の支柱(６)を左右２本立設し、その下端部の前後面に、前方及び後方に向かって延出する脚杆(７)を設け、左右の支柱(６)間に、横梁部材(８)を掛け渡すとともに、背板(９)を取り付けて構成されている。
【００１２】
支柱(６)の前後面には、２列の縦長孔(6a)が等間隔に穿設されており、これらの縦長孔(6a)の任意のものに、棚板(４)を支持するブラケット（図示略）の後端に設けた縦長フック（図示略）を係止しうるようになっている。図では、最下段の棚板(４)だけが示されている。
【００１３】
図１〜図３に示すように、前部のエンドフレーム(２)は、角管(10)を方形枠状に連結してなるもので、その上下方向を向く後部の角管(10)の内側面(図１の右側面、図３の左側面)の上端部及び下端部には、前後１対ずつの縦長フック(11)が突設されている（なお、後部のエンドフレーム(２)では、勝手違いとなっている）。
この実施形態の場合、下部の縦長フック(12)の間隔は、枠部材(10)の幅より若干広めとされており、任意の取付板を介して後部の角管(10)に取り付けられている。
【００１４】
図１に示すように、支柱(６)の外側面上部には、前後２対の縦長孔(13)が設けられており、また同じく外側面下部には、前後２対の縦長孔(14)が並んで穿設されている。
縦長孔(13)は、縦長フック(11)の位置及び間隔と対応し、縦長孔(14)は、縦長フック(12)の位置及び間隔と対応している。
【００１５】
脚杆(７)の外側面には、ベースカバー(15)が取り付けられている。ベースカバー(15)は、図１、図４及び図５に示すように、内側の中間部に、脚杆(７)の頂部に引っかけられる内向きＬ字状の下向き折曲部(15a)を、また、内側の頂部に、棚板(４)の頂面とほぼ等しい高さの下向きコ字状の折曲部(15b)を備えている。折曲部(15b)の上端の左右方向の幅は、支柱(６)及び脚杆(７)の左右方向の幅のほぼ２分の１としてある。
【００１６】
ベースカバー(15)の折曲部(15b)の前端部には、図４及び図５に示すように、連結具(16)が係止されている。
図５に最もよく示されているように、連結具(16)は、板金を折り曲げて形成したもので、左右方向を向く基片(16a)の外端には、上向きに延出する垂直片(16b)が連設されている。垂直片(16b)の外側面には、外上方に向かってＬ字状に延出する切り起こし片(16c)が形成されている。
【００１７】
基片(16a)の左右方向の長さは、ベースカバー(15)の上端の折曲部の左右方向の長さとほぼ同一としてあり、基片(16a)の右端には、垂下片(16d)が連設されている。
【００１８】
図２及び図３に示すように、エンドフレーム(10)の前部の角管(10)の内側面には、方形の係合孔(17)が、高さを異にして複数個穿設されている。
【００１９】
上述の実施形態では、ベースカバー(15)の下向き折曲部(15a)を脚杆(７)の頂面に係止させた後、この下向き折曲部(15a)の上面のほぼ右半部上に棚板(４)を載置し、次いで、図４及び図５に示すように、連結具(16)の基片(16a)が、ベースカバー(15)の折曲部(15b)の上面に当接するように、垂下片(16d)を、ベースカバー(15)の折曲部(15b)の内端と棚板(４)の側端との間に形成される溝内に挿入する（図４）。
【００２０】
この状態において、エンドフレーム(２)の下部を、上方から陳列棚本体(１)の側面に近づけてゆき、連結具(16)の切り起こし片(16c)に、所要の係合孔(17)の上縁部を係止させ、かつ、支柱(６)の下部の縦長孔(14)に縦長フック(12)を挿入し、次いで、エンドフレーム(２)を垂直姿勢としながら、その上端の縦長フック(11)を支柱(６)の上端の縦長孔(13)に挿入して、図２に示すように係止する。
この最終状態では、支柱(６)の上下２カ所と脚杆の前端部とにおいて、エンドフレーム(２)は、縦長フック(11)(12)及び切り起こし片(16c)により、陳列棚本体(１)にしっかりと係止される。
【００２１】
図６は、脚杆(７)に代えて、高さの高い脚杆(18)を用い、最下段の棚板(４)の高さを高く設定し、この高さに応じたベースカバー(19)を用いることにより、棚板(４)の下方の空間へ、車輪またはキャスター付きの商品保管箱(５)を収容するようにした例である。
この場合、ベースカバー(19)側への取付具(16)の取付け要領は上述の場合と同一であるが、切り起こし片(16c)に係止する係合孔(17)を、例えば図３に示すものの下から２段目または３段目等とする。
【００２２】
図７は、ベースカバーを使用せず、連結具(16)の垂下片(16d)を、棚板(20)の側端部上面に穿設したスリット(21)に挿入係止させた例である。
【００２３】
【発明の効果】
請求項１記載の発明によれば、連結具を陳列棚本体及びエンドフレームに容易に着脱でき、したがって組立、分解作業の効率が向上する。
また、連結具をエンドフレームや陳列棚本体へ溶接したり、ねじ止めする必要がないので、製作が容易で、かつ運搬時の取り扱いが便利である。
さらに、一旦組み立てると、エンドフレームは、自重により連結具を強固に保持し、前後、左右及び下方への移動や振動が確実に阻止され、陳列棚本体から外れることはない。
その上、連結構造は外部からは見えず、外観上すぐれている。
【００２４】
請求項２記載の発明によれば、連結具がベースカバーに係止され、棚板に直接係合しないので、エンドフレームを外すことなく、棚板の着脱や交換、高さ変更等を自由に行なうことができる。
【００２５】
請求項３記載の発明によれば、構造を簡素化できるとともに、エンドフレームの重量により、棚板の浮き上がりを防止することができる。
【００２６】
請求項４記載の発明によれば、陳列棚の寸法違いや使い勝手の変更等に対応して、連結具の装着位置を変更することができ、同じエンドフレームを陳列棚側端に種々の態様で取り付けることができる。
【００２７】
請求項５記載の発明によれば、エンドフレームの後端部側を強固に支柱に取り付けることができる。
【図面の簡単な説明】
【図１】  本発明の連結構造を適用した陳列棚の分解斜視図である。
【図２】  同じく、陳列棚の前半部の側面図である。
【図３】  同じく、陳列棚のエンドフレームを内側から見た部分斜視図である。
【図４】  同じく、エンドフレームの前端下部の連結構造を示す部分拡大正面図である。
【図５】  同じく、ベースカバーと連結具との係合関係を示す部分拡大斜視図である。
【図６】  同じく、陳列棚の下部に商品保管箱を収容するようにした場合の分解斜視図である。
【図７】  同じく、ベースカバーを省略した場合の、図４と同様な部分拡大正面図である。
【図８】  従来の陳列棚の分解斜視図である。
【符号の説明】
(１)陳列棚本体
(２)エンドフレーム
(３)連結具
(４)棚板
(５)商品保管箱
(６)支柱
(6a)縦長孔
(７)脚杆
(８)横梁部材
(９)背板
(10)角管
(11)(12)縦長フック
(13)(14)縦長孔
(15)ベースカバー
(15a)下向き折曲部
(15b)折曲部
(16)連結具
(16a)基片
(16b)垂直片
(16c)切り起こし片
(16d)垂下片
(17)係合孔
(18)脚杆
(19)ベースカバー
(20)棚板
(21)スリット
【図１】
0003664214.tif 000002
【図２】
0003664214.tif 000003
【図３】
0003664214.tif 000004
【図４】
0003664214.tif 000005
【図５】
0003664214.tif 000006
【図６】
0003664214.tif 000007
【図７】
0003664214.tif 000008
【図８】
0003664214.tif 000009